(57)【特許請求の範囲】
【請求項１】
被験者の血圧値を測定する血圧測定手段と、
前記被験者の睡眠レベルを決定するレベル決定手段と、
前記決定された睡眠レベルが所定の条件を満たしているか否かを判断する判断手段と、
前記判断手段によって前記決定された睡眠レベルが前記所定の条件を満たしていると判断されたときに前記血圧測定手段による血圧測定を開始させる血圧測定開始手段と、
前記血圧測定開始手段により前記血圧測定手段によって測定された前記被験者の血圧値を記憶する血圧値記憶手段とを含み、
前記被験者の脈拍を計測する生体情報計測手段に接続され、
前記レベル決定手段は、前記生体情報計測手段が計測する脈波周期の変化に基づいて前記被験者の睡眠レベルを決定し、
前記レベル決定手段は、継続的に睡眠レベルの決定を行ない、
前記判断手段は、前記決定された睡眠レベルの変化が特定の変化量よりも大きい場合に、前記所定の条件が満たされたと判断する、血圧測定装置。
【請求項２】
前記レベル決定手段は、前記被験者の睡眠レベルを覚醒以外の３以上のレベルの中から１のレベルに決定する、請求項１に記載の血圧測定装置。
【請求項３】
前記生体情報計測手段は、前記被験者の体温を検出し、
前記レベル決定手段は、前記生体情報計測手段が計測する体温の変化に基づいて前記被験者の睡眠レベルを決定する、請求項１または請求項２に記載の血圧測定装置。
【請求項４】
被験者の血圧値を測定する血圧測定手段と、
前記被験者の睡眠レベルを決定するレベル決定手段と、
前記決定された睡眠レベルが所定の条件を満たしているか否かを判断する判断手段と、
前記判断手段によって前記決定された睡眠レベルが前記所定の条件を満たしていると判断されたときに前記血圧測定手段による血圧測定を開始させる血圧測定開始手段と、
前記血圧測定開始手段により前記血圧測定手段によって測定された前記被験者の血圧値を記憶する血圧値記憶手段とを含み、
前記レベル決定手段は、継続的に睡眠レベルの決定を行ない、
前記判断手段は、前記決定された睡眠レベルの変化が特定の変化量よりも大きい場合に、前記所定の条件が満たされたと判断する、血圧測定装置。
【発明の詳細な説明】
【技術分野】
【０００１】
本発明は、血圧測定装置に関し、特に、睡眠時の血圧を測定するための血圧測定装置に関する。
【背景技術】
【０００２】
従来から、健康管理を行なう上で、血圧値が最も重要な指標の一つであると考えられ、その管理が重要視されてきた。さらに、近年の研究によって、夜間に測定する血圧が心血管のリスクを管理する上で重要な指標となることが明らかにされてきた。
【０００３】
このような観点から、夜間の血圧測定を行なうための技術が種々開示されてきた。
たとえば、特許文献１では、電子血圧計において、予め血圧についての測定時刻を設定しておき、そして、設定された時刻に血圧測定を行なう技術が開示されている。
【０００４】
また、特に、被験者が眠りの状態となったことをトリガとして血圧測定を行なう技術が特許文献２に開示されている。具体的には、特許文献２には、睡眠健康管理システムにおいて、寝具に取付けられた振動センサから得られる信号に基づいて体動の有無を判断し、体動が一定時間認められなかった場合に被験者が睡眠状態にあると判断し、そして、被験者が睡眠状態にあると判断されたことをトリガとして血圧測定を行なう技術が開示されている。
【特許文献１】特開２００１−７０２６０号公報
【特許文献２】特許第３４５３８７７号
【発明の開示】
【発明が解決しようとする課題】
【０００５】
しかしながら、特許文献１に開示された技術では、被験者の就寝時刻に合わせて設定する時刻を変更する必要が生じ、操作が煩雑であるという問題が生じると考えられる。
【０００６】
また、測定される血圧値は、同じ被験者であっても、図１８に示されるように、測定時の肉体の状態および／または精神状態により血圧値は大きく変動する。それと同様に、血圧測定時の当該被験者の睡眠の状態（睡眠の深さ）によっても変動が生じると考えられる。なお、図１８には、人間の一日における一般的な最高血圧値および最低血圧値の変動が示されている。図１８中のハッチングを示された領域は、睡眠中の時間帯を意味する。
【０００７】
そして、このことから、血圧値が被験者の睡眠の状態に基づいて測定されることは、重要なことであると考えられる。
【０００８】
特許文献２に開示された技術では、被験者の体動が一定時間見られなければ睡眠状態に入ったと認識して血圧測定が行なわれるため、被験者が睡眠時刻に合わせて設定する測定時刻を変更する必要はないものの、測定時の被験者の睡眠の状態が一定ではないという問題が生じると考えられる。つまり、特許文献２に開示された技術では、被験者が眠っていれば、その睡眠の深さに関係無く血圧値が測定されることが考えられる。
【０００９】
本発明はかかる実情に鑑み考え出されたものであり、その目的は、被験者の睡眠の深さに基づいて血圧値を測定する血圧測定装置を提供することである。
【課題を解決するための手段】
【００１０】
本発明のある局面に従った被験者の血圧値を測定する血圧測定手段と、前記被験者の睡眠レベルを決定するレベル決定手段と、前記決定された睡眠レベルが所定の条件を満たしているか否かを判断する判断手段と、前記判断手段によって前記決定された睡眠レベルが前記所定の条件を満たしていると判断されたときに前記血圧測定手段による血圧測定を開始させる血圧測定開始手段と、前記血圧測定開始手段により前記血圧測定手段によって測定された前記被験者の血圧値を記憶する血圧値記憶手段とを含み、前記被験者の脈拍を計測する生体情報計測手段に接続され、前記レベル決定手段は、前記生体情報計測手段が計測する脈波周期の変化に基づいて前記被験者の睡眠レベルを決定し、レベル決定手段は、継続的に睡眠レベルの決定を行ない、判断手段は、決定された睡眠レベルの変化が特定の変化量よりも大きい場合に、所定の条件が満たされたと判断することを特徴とする。
【００１１】
また、本発明に従った血圧測定装置では、前記レベル決定手段は、前記被験者の睡眠レベルを覚醒以外の３以上のレベルの中から１のレベルに決定することが好ましい。
【００１３】
また、本発明に従った血圧測定装置では、前記生体情報計測手段は、前記被験者の体温の変化を検出し、前記レベル決定手段は、前記生体情報計測手段が計測する体温に基づいて前記被験者の睡眠レベルを決定することが好ましい。
【００１６】
本発明の他の局面に従った血圧測定装置は、被験者の血圧値を測定する血圧測定手段と、前記被験者の睡眠レベルを決定するレベル決定手段と、前記決定された睡眠レベルが所定の条件を満たしているか否かを判断する判断手段と、前記判断手段によって前記決定された睡眠レベルが前記所定の条件を満たしていると判断されたときに前記血圧測定手段による血圧測定を開始させる血圧測定開始手段と、前記血圧測定開始手段により前記血圧測定手段によって測定された前記被験者の血圧値を記憶する血圧値記憶手段とを含み、前記レベル決定手段は、継続的に睡眠レベルの決定を行ない、前記判断手段は、前記決定された睡眠レベルの変化が特定の変化量よりも大きい場合に、前記所定の条件が満たされたと判断することを特徴とする。
【発明の効果】
【００１７】
本発明によれば、被験者の睡眠レベルが決定され、そして、決定された睡眠レベルが所定の条件を満たしているときの血圧値が記憶される。
【００１８】
これにより、測定値として記憶される血圧値が被験者の睡眠の深さが所定の条件を満たしたときのものとされる。
【００１９】
このため、血圧値の測定に適していると考えられるノンレム睡眠（non-REM：non Rapid Eye Movement）時や起床時等、被験者の睡眠の深さに基づいた血圧値の測定が可能となる。なお、ノンレム睡眠時は、最も被験者が精神的に落ち着いているために、被験者の健康状態が顕著に現れることが期待される。また、起床時は、図１８にも示されるように一般的に被験者の血圧値が急激に上昇するため、健康管理上のリスクを推定するために、血圧値の測定に適していると考えられる。
【発明を実施するための最良の形態】
【００２０】
以下、図面を参照しつつ、本発明に係る血圧測定装置の実施の形態を説明する。
［第１の実施の形態］
図１は、本発明の第１の実施の形態である血圧測定装置の概観図である。
【００２１】
血圧測定装置１は、カフ２を備え、当該カフ２を被験者の腕Ａに巻きつけられた状態で、被験者の血圧を測定する。
【００２２】
血圧測定装置１は、その前面に表示器４および複数の操作ボタンを含む操作部５を備えている。また、血圧測定装置１は、内蔵するポンプ（後述するポンプ３２）とカフ２を接続する管３を含む。また、カフ２は、後述するように空気袋を内包している。
【００２３】
図２は、血圧測定装置１のハードウェア構成を模式的に示す図である。
血圧測定装置１は、上記した表示器４および操作部５に加え、血圧測定装置１の動作を全体的に制御するＣＰＵ（Central Processing Unit）１０、種々の情報を記憶するメモリ１１、タイマ６、および、生体情報計測部３０を含む。
【００２４】
生体情報計測部３０は、上記したカフ２および管３に加え、空気袋２０の圧力を計測する圧力センサ３１、圧力センサ３１に接続された増幅器１３、増幅器１３を介して入力される圧力センサ３１からのアナログデータをデジタルデータに変換してＣＰＵ１０に出力するＡ／Ｄ（Analog / Digital）変換部１２、空気袋２０に空気を送るポンプ３２、ポンプ３２を駆動させるポンプ駆動回路１４、管３とポンプ３２との接続部分を開閉する弁３３、および、弁３３を駆動させる弁駆動回路１５を含む。
【００２５】
血圧測定装置１では、ＣＰＵ１０は、Ａ／Ｄ変換器１２を介して圧力センサ３１が出力するデータを入力され、ポンプ駆動回路１４を介してポンプ３２の動作を制御し、また、弁駆動回路１５を介して弁３３の開閉を制御する。
【００２６】
血圧測定装置１は、被験者の血圧値の測定に加え、空気袋２０にたとえば２０〜３０ｍｍＨｇ程度の低い圧力で空気を充填させることにより、圧力センサ３１の出力するデータに基づいて、被験者の脈拍を測定できる。
【００２７】
図３に、圧力センサ３１が出力するデータに基づいて測定された脈拍の一例を示す。なお、図３に示されるデータは、上記したように空気袋２０に適度の圧力の空気が充填された状態でＡ／Ｄ変換器１２が出力するデータに相当する。
【００２８】
図３を参照して、脈拍のピークはピークＰＡ〜ＰＤで示されている。血圧測定装置１では、ＣＰＵ１０は、ある程度継続して脈拍を測定することによって複数のピークを検出し、隣接するピークの時間間隔の平均値を算出することにより、所定期間（上記したある程度継続して脈拍を測定した時間）の脈波周期を算出する。平均値の算出に利用するピークの数は、適宜設定されるものと考えられる。
【００２９】
血圧測定装置１では、被験者の就寝中の脈拍が測定され、脈拍の測定結果に基づいて脈波周期が算出され、そして、脈波周期の変化（たとえば、算出された脈波周期の、就寝直後の脈波周期に対する比）が所定の条件を満たした時点で被験者の血圧値が測定される。
【００３０】
具体的には、血圧測定装置１では、被験者の就寝時に、被験者の就寝直後の脈波周期が算出された後、被験者の血圧値を測定するために、図４に示す処理が実行される。なお、就寝直後の脈波周期とは、たとえば、血圧測定装置１において所定のスイッチを設けておき、被験者が就寝開始時に当該スイッチを押し、そして、当該スイッチが操作されてから所定時間（たとえば５〜１０分）経過後に算出された脈波周期である。また、算出された就寝直後の脈波周期は、メモリ１１に記憶される。
【００３１】
図４を参照して、ＣＰＵ１０は、まずステップＳＡ１０で、被験者の睡眠深度（睡眠レベル）を測定し、ステップＳＡ２０に処理を進める。なお、ステップＳＡ１０での睡眠深度の測定には、以下の処理が含まれる。
【００３２】
・所定期間、被験者の脈拍を測定する
・当該所定期間中の被験者の脈拍の測定結果に基づいて、脈波周期を算出する
・算出された脈波周期を利用した脈波周期の変化により睡眠深度を決定する
なお、脈波周期の変化に基づいて睡眠深度が決定される際には、以下の表１に示されるような脈波周期と睡眠深度との対応関係が参照される。表１において、メモリ１１に記憶されたＣＡは就寝直後の脈波周期であり、ＣＰはその時点で算出された脈波周期である。表１に示されたような対応関係は、たとえばメモリ１１に予め記憶されている。
【００３３】
【表１】
0004659646.tif 000002
【００３４】
表１から理解されるように、本実施の形態では、睡眠深度は、ＣＰの値に応じて、レム（Rapid Eye Movement）、ノンレムＩ、ノンレムＩＩ、ノンレムＩＩＩ、および、ノンレムＩＶの五段階が定義されている。本明細書では、レムよりノンレムＩが、ノンレムＩよりノンレムＩＩが、ノンレムＩＩよりノンレムＩＩＩが、そして、ノンレムＩＩＩよりノンレムＩＶが、睡眠深度が深いとする。
【００３５】
ステップＳＡ２０では、ＣＰＵ１０は、直前で実行されたステップＳＡ１０において測定（決定）された睡眠深度が睡眠深度ＩＶであるか否かを判断し、そうであると判断すればステップＳＡ４０に、そうではないと判断するとステップＳＡ３０に処理を進める。
【００３６】
ステップＳＡ３０では、ＣＰＵ１０は、１分間待機した後、ステップＳＡ１０に処理を戻す。
【００３７】
一方、ステップＳＡ４０では、睡眠深度が睡眠深度ＩＶであるので、ＣＰＵ１０は、血圧測定を開始するルーチンに移り、被験者の血圧値の測定を開始し、メモリ１１に測定結果を記憶して、ステップＳＡ５０に処理を進める。血圧値が測定される際には、血圧測定装置１では、空気袋２０に脈拍測定時よりも高い圧力で空気を充填させ、圧力センサ３１における圧力変化が検出される。なお、ステップＳＡ４０では、たとえば、測定結果に関連付けられて、測定時の睡眠深度および測定時刻も記憶されることが好ましい。
【００３８】
ステップＳＡ５０では、ＣＰＵ１０は、３０分待機した後、ステップＳＡ１０に処理を戻す。ステップＳＡ５０で３０分待機することにより、睡眠深度のピーク（睡眠深度が最も深い状態）で血圧測定が行なわれた後、次の睡眠深度のピークが来るまで血圧の測定が行なわれることを回避できる。つまり、同じ睡眠深度のピーク時に複数回血圧測定が行なわれることを回避できる。
【００３９】
以上説明した本実施の形態では、被験者の脈波周期の変化に基づいて睡眠深度が決定され、そして、睡眠深度が最高の深度（最も眠りが深いもの、すなわち最も深いピーク）となった時点で、当該被験者の血圧の測定を開始し、測定された血圧が記録される。これにより、最も被験者が精神的に落ち着いていると考えられるときの血圧値を測定できる。
【００４０】
図５に、睡眠深度の変化の一般的な態様を示す。なお、図５は、図４に示された処理の中でステップＳＡ４０における血圧値の測定および記憶がなされるタイミングを説明するための図である。また、図５では、縦軸が睡眠深度（ノンレムが「Ｎ」と略されている）であり横軸が睡眠開始からの経過時間である。また、図５中、縦軸の睡眠深度は、覚醒からＮ−ＩＶの六段階で示され、測定された睡眠深度は、太線で示されている。
【００４１】
睡眠深度は、レムからノンレムＩＶまで深くなった後レムに戻るように変化し、そして、このような変化はほぼ周期的に見られている。なお、睡眠深度の周期は、一般的には６０分間から９０分間である。
【００４２】
図４に示された処理では、睡眠深度がノンレムＩＶとなったことを条件として血圧測定が開始され、血圧値が記録される。これは、図５に示された睡眠深度の測定値（太字）が円Ｐ１および円Ｐ２内に入っているタイミングで、血圧値が測定されると言える。
【００４３】
また、図４に示された処理では、睡眠深度が極大値（深さについての極大、つまり、局部的に睡眠が最も深いピーク）を取ったときに血圧値を測定するために、睡眠深度がノンレムＩＶとなったことを条件として血圧値が測定される。つまり、睡眠深度がノンレムＩＶに達した時点が、睡眠深度が最も深いピークになった時点とみなされて、血圧値の測定が行なわれる。
【００４４】
［第２の実施の形態］
本発明の第２の実施の形態の血圧測定装置１は、第１の実施の形態の血圧測定装置１と同様のハードウェア構成を有する。
【００４５】
なお、本実施の形態の血圧測定装置１は、第１の実施の形態の血圧測定装置１に対して、被験者の血圧測定のために実行する処理の内容が異なる。そこで、以下に、本実施の形態の血圧測定装置１で血圧値の測定のために実行される処理について、当該処理のフローチャートである図６を参照して説明する。
【００４６】
ＣＰＵ１０は、まずステップＳＢ１０で、上記したステップＳＡ１０と同様に、被験者の睡眠深度を測定し、ステップＳＢ２０に処理を進める。
【００４７】
ステップＳＢ２０では、ＣＰＵ１０は、直前のステップＳＢ１０において測定（決定）された睡眠深度の、その１つ前の回に実行されたステップＳＢ１０で測定（決定）された睡眠深度に対する変化率（α）が正の値であるか否かを判断する。なお、αは、直前のステップＳＢ１０の測定結果である睡眠深度が、その１つ前の回での睡眠深度よりも眠りの浅い方にシフトした場合に、正の値となる。そして、ＣＰＵ１０は、αが正であると判断するとステップＳＢ４０へ、そうではないと判断するとステップＳＢ３０へ、それぞれ処理を進める。
【００４８】
ステップＳＢ３０では、ＣＰＵ１０は、１分間待機した後、ステップＳＢ１０に処理を戻す。
【００４９】
一方、ステップＳＢ４０では、ＣＰＵ１０は、被験者の血圧値を測定し、メモリ１１に測定結果を記憶して、ステップＳＢ５０に処理を進める。このとき、たとえば、測定結果に関連付けられて、測定時の睡眠深度および測定時刻も記憶されることが好ましい。
【００５０】
ステップＳＢ５０では、ＣＰＵ１０は、３０分待機した後、ステップＳＢ１０に処理を戻す。
【００５１】
以上説明した本実施の形態では、被験者の脈波周期の変化に基づいて睡眠深度が決定され、そして、決定された睡眠深度が、前回決定された睡眠深度よりも眠りの浅い方に変化したときに、被験者の血圧が測定される。
【００５２】
図７は、図６に示された処理の中でステップＳＢ４０における血圧値の測定および記憶がなされるタイミングを説明するための図である。また、図７では、図５と同様に、縦軸が睡眠深度であり横軸が睡眠開始からの経過時間であり、また、測定された睡眠深度は、太線で示されている。
【００５３】
睡眠深度は、レムからノンレムＩＶまで深くなった後レムに戻るように変化し、そして、このような変化はほぼ周期的に見られている。なお、睡眠深度の周期は、一般的には６０分間から９０分間である。
【００５４】
図６に示された処理では、睡眠深度が決定されたとき、それが前回決定された睡眠深度よりも眠りの浅い方に変化してときに、つまり、図７に示された睡眠深度の測定値（太字）が円Ｐ３および円Ｐ４内に入っているタイミングで、血圧値が測定されると言える。
【００５５】
また、図６に示された処理では、睡眠深度が極大値（深さについての極大、つまり、局部的に睡眠が最も深いピーク）を取ったときに血圧値を測定するために、決定された睡眠深度が前回決定された睡眠深度よりも眠りの浅い方に変化したことを条件として血圧値が測定される。つまり、睡眠深度が眠りの浅い方に変化した時点が、睡眠深度が極大値を取った時点とみなされて、血圧値の測定を開始し、測定された血圧値が記録される。
【００５６】
［第３の実施の形態］
本発明の第３の実施の形態の血圧測定装置１は、第１の実施の形態の血圧測定装置１と同様のハードウェア構成を有する。
【００５７】
なお、本実施の形態の血圧測定装置１は、第１の実施の形態の血圧測定装置１に対して、被験者の血圧測定のために実行する処理の内容が異なる。そこで、以下に、本実施の形態の血圧測定装置１で血圧値の測定のために実行される処理について、当該処理のフローチャートである図８を参照して説明する。
【００５８】
ＣＰＵ１０は、まずステップＳＣ１０で、上記したステップＳＡ１０と同様に、被験者の睡眠深度を測定し、ステップＳＣ２０に処理を進める。
【００５９】
ステップＳＣ２０では、ＣＰＵ１０は、直前のステップＳＣ１０において測定（決定）された睡眠深度がレムであり、かつ、その１つ前の回に実行されたステップＳＣ１０で測定（決定）された睡眠深度がノンレムＩであったか否かを判断する。そして、ＣＰＵ１０は、そうであると判断するとステップＳＣ４０へ、そうではないと判断するとステップＳＣ３０へ、それぞれ処理を進める。
【００６０】
ステップＳＣ３０では、ＣＰＵ１０は、１分間待機した後、ステップＳＣ１０に処理を戻す。
【００６１】
一方、ステップＳＣ４０では、ＣＰＵ１０は、被験者の血圧値を測定し、メモリ１１に測定結果を記憶して、ステップＳＣ５０に処理を進める。このとき、たとえば、測定結果に関連付けられて、測定時の睡眠深度および測定時刻も記憶されることが好ましい。
【００６２】
ステップＳＣ５０では、ＣＰＵ１０は、３０分待機した後、ステップＳＣ１０に処理を戻す。
【００６３】
以上説明した本実施の形態では、被験者の脈波周期の変化に基づいて睡眠深度が決定され、そして、決定された睡眠深度が、ノンレムＩから変化したレムであるときに、被験者の血圧が測定される。
【００６４】
図９は、図８に示された処理の中でステップＳＣ４０における血圧値の測定および記憶がなされるタイミングを説明するための図である。また、図９では、図５と同様に、縦軸が睡眠深度であり横軸が睡眠開始からの経過時間であり、また、測定された睡眠深度は、太線で示されている。また、図９において、睡眠深度は、レムからノンレムＩＶまで深くなった後レムに戻るように変化し、そして、このような変化はほぼ周期的に見られている。なお、睡眠深度の周期は、一般的には６０分間から９０分間である。
【００６５】
図８に示された処理では、前回決定された睡眠深度がノンレムＩであり、そして、今回決定された睡眠深度がレムであるときに、つまり、図９に示された睡眠深度の測定値（太字）が円Ｐ５内に入っているタイミングで、血圧値が測定されると言える。
【００６６】
また、図８に示された処理では、睡眠深度が極小値（深さについての極小、つまり、局部的に睡眠が最も浅いピーク）を取ったときに血圧値を測定するために、睡眠深度がノンレムＩからレムに変化したことを条件として血圧測定が開始され、測定された血圧値が記録される。つまり、睡眠深度がノンレムＩからレムに変化した時点が、睡眠深度が極小値を取った時点とみなされて、血圧値の測定が行なわれる。
【００６７】
［第４の実施の形態］
本発明の第４の実施の形態の血圧測定装置１は、第１の実施の形態の血圧測定装置１と同様のハードウェア構成を有する。
【００６８】
なお、本実施の形態の血圧測定装置１は、第１の実施の形態の血圧測定装置１に対して、被験者の血圧測定のために実行する処理の内容が異なる。そこで、以下に、本実施の形態の血圧測定装置１で血圧値の測定のために実行される処理について、当該処理のフローチャートである図１０を参照して説明する。
【００６９】
ＣＰＵ１０は、まずステップＳＤ１０で、上記したステップＳＡ１０と同様に、被験者の睡眠深度を測定し、ステップＳＤ２０に処理を進める。
【００７０】
ステップＳＤ２０では、ＣＰＵ１０は、直前のステップＳＤ１０において測定（決定）された睡眠深度がノンレムＩＶであるか否かを判断する。そして、ＣＰＵ１０は、そうであると判断するとステップＳＤ３０へ、そうではないと判断するとステップＳＤ５０へ、それぞれ処理を進める。
【００７１】
ステップＳＤ３０では、ＣＰＵ１０は、ステップＳＡ４０と同様に、被験者の血圧値の測定し、そして、それをメモリ１１への記憶させ、ステップＳＤ４０に処理を進める。
【００７２】
ステップＳＤ４０では、ＣＰＵ１０は、３０分間待機した後、ステップＳＤ１０に処理を戻す。
【００７３】
一方、ステップＳＤ５０では、ＣＰＵ１０は、直前のステップＳＤ１０で測定された睡眠深度が、その前の回に測定された睡眠深度に対して２段階以上浅い方へ、つまり、たとえばノンレムＩＩからレムへ、または、ノンレムＩＩＩからノンレムＩへ、変化したか否かを判断する。そして、そうであると判断するとステップＳＤ３０へ、そうではないと判断するとステップＳＤ６０へ処理を進める。
【００７４】
ステップＳＤ６０では、ＣＰＵ１０は、１分待機した後、ステップＳＤ１０に処理を戻す。
【００７５】
以上説明した本実施の形態では、被験者の脈波変周期の変化に基づいて睡眠深度が決定され、そして、決定された睡眠深度が、ノンレムＩＶである場合、または、急激に浅い方へ（前回測定時から２段階以上浅い方へ）変化した場合に、被験者の血圧測定が開始され、測定された血圧値が記録される。
【００７６】
図１１は、図１０に示された処理の中でステップＳＤ３０における血圧値の測定および記憶がなされるタイミングを説明するための図である。また、図１１では、図５と同様に、縦軸が睡眠深度であり横軸が睡眠開始からの経過時間であり、また、測定された睡眠深度は、太線で示されている。また、図１１において、睡眠深度は、レムからノンレムＩＶまで深くなった後レムに戻るように変化し、そして、このような変化はほぼ周期的に見られている。なお、睡眠深度の周期は、一般的には６０分間から９０分間である。
【００７７】
図１０に示された処理では、睡眠深度がノンレムＩＶであるとき、および、今回決定された睡眠深度が前回決定された睡眠深度から２段階以上浅い方にシフトしたときに、つまり、図１１に示された睡眠深度の測定値（太字）が円Ｐ６〜Ｐ９内に入っているタイミングで、血圧値が測定されると言える。
【００７８】
なお、図１０に示された処理では、ステップＳＤ４０において３０分処理が待機することから、ステップＳＤ５０において前回決定された睡眠深度から２段階以上浅い方にシフトしたと判断された場合は、睡眠深度が、３０分のうちに２段階以上浅い方にシフトした場合と考えられる。睡眠深度が浅い方に急激に変化する場合の具体例としては、たとえば、被験者が無呼吸状態にある場合が考えられる。
【００７９】
また、図１０に示された処理は、睡眠深度が、所定の段階以上深い方にシフトした場合に血圧値を検出するように構成されても良い。
【００８０】
［第５の実施の形態］
図１２は、本発明の第５の実施の形態である血圧測定装置の概観図である。
【００８１】
本実施の形態は、第１〜第４の実施の形態に対して、睡眠深度を決定するために測定する被験者の生体情報を変更されたものである。以下、これらの実施の形態に対して変更点について主に説明を行なう。
【００８２】
図１２を参照して、本実施の形態の血圧測定装置１は、第１〜第４の実施の形態に係る血圧測定装置１に対し、さらに、被験者の生体情報である体温を計測するための体温センサ６を備えている。体温センサ６は、カフ２の、被験者の腕Ａに当接される側に設置されている。なお、体温センサ６は、カフ２とは別体で構成されても良い。
【００８３】
図１３は、図１２の血圧測定装置１のハードウェア構成を模式的に示す図である。
本実施の形態の血圧測定装置１は、第１〜第４の実施の形態に係る血圧測定装置１に対して、体温センサ６と、体温センサ６が検出する被験者の体温についてのデータをデジタルデータに変換してＣＰＵ１０に送るＡ／Ｄ変換器６１を含む。
【００８４】
そして、本実施の形態では、メモリ１１において、たとえば表２に示されるような、被験者の体温の値の変化と睡眠深度を関連付ける情報（たとえばテーブル）が記憶されている。具体的には、当該情報では、測定される体温の値Ｔの範囲が、レム〜ノンレムＩＶの５段階に対して定められている。
【００８５】
【表２】
0004659646.tif 000003
【００８６】
図１４は、本実施の形態の血圧測定装置１において測定される被験者の体温の、睡眠時間の経過に伴った変化の一例を示す図である。
【００８７】
図１４から理解されるように、体温は、睡眠時間が経過するにつれて、全体としては下がっているものの、局部的には所定の周期で上下を繰り返している。図１４では、睡眠深度をノンレムＩＶとされる体温の領域が、ハッチングを施された領域として示されている。
【００８８】
本実施の形態では、第１〜第４の実施の形態に対して、睡眠深度を決定するために測定される生体情報が変更されただけである。つまり、決定された睡眠深度を利用した制御内容については、第１〜第４の実施の形態と同様である。
【００８９】
［第６の実施の形態］
図１５は、本発明の第６の実施の形態である血圧測定装置の概観図である。
【００９０】
本実施の形態は、第１〜第４の実施の形態に対して、睡眠深度を決定するために測定する被験者の生体情報を変更されたものである。以下、これらの実施の形態に対して変更点について主に説明を行なう。
【００９１】
図１５を参照して、本実施の形態の血圧測定装置１は、第１〜第４の実施の形態に係る血圧測定装置１に対し、さらに、被験者の生体情報である眼球の運動を計測するためのアイマスク８を備えている。アイマスク８は、被験者の頭部Ｈに装着される。
【００９２】
図１６に、アイマスク８の拡大図を示す。
アイマスク８は、被験者の頭部Ｈに固定されるためのベルト８０と、板状部８１とを備えている。板状部８１には、被験者の右目および左目にそれぞれ対応するような赤外線センサである右目用赤外線センサ８０Ａおよび左目用赤外線センサ８０Ｂが設置されている。また、アイマスク８と血圧測定装置１の本体との間には、これらの赤外線センサの出力をデジタルデータに変換する変換器８２が含まれる。
【００９３】
図１７は、図１５の血圧測定装置１のハードウェア構成を模式的に示す図である。
本実施の形態の血圧測定装置１は、第１〜第４の実施の形態に係る血圧測定装置１に対して、上記した右目用赤外線センサ８０Ａおよび左目用赤外線センサ８０Ｂとともに、これらの出力をデジタルに変換するＡ／Ｄ変換器８０１，８０２を含む。Ａ／Ｄ変換器８０１，８０２は、変換器８２に含まれる。
【００９４】
本実施の本実施の形態では、眼球の運動態様を右目用赤外線センサ８０Ａおよび左目用赤外線センサ８０Ｂで検出し、検出された運動態様に基づいて、被験者の睡眠深度が決定される。
【００９５】
本実施の形態では、第１〜第４の実施の形態に対して、睡眠深度を決定するために測定される生体情報が変更されただけである。つまり、決定された睡眠深度を利用した制御内容については、第１〜第４の実施の形態と同様である。
【００９６】
［その他の変形例等］
以上説明した本発明の各実施の形態では、睡眠深度を決定するための方法がいくつか示された。なお、本発明は、上記した方法とは異なる方法で睡眠深度を決定されても良い。
【００９７】
その他の方法としては、たとえば、被験者の生体情報として脳波、心電、筋電、体動、呼吸周期等が挙げられる。
【００９８】
また、上記した各実施の形態では、睡眠深度が所定の条件を満たした場合に被験者の血圧値が測定されたが、この他に、血圧測定装置１に所定のスイッチを設け、被験者に就寝直前に当該スイッチを操作させ、そして、血圧測定装置１では、当該スイッチが操作されてから所定の時間（たとえば、１時間、１時間３０分、２時間等）が経過したことを条件として、血圧測定が行なわれても良い。このように血圧測定が行なわれることによっても、毎日、被験者が同じ睡眠状態にあるときに、血圧測定ができると考えられる。
【００９９】
今回開示された各実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。また、上記した各実施の形態は、可能な限り組み合わされて実現されることが意図される。
【図面の簡単な説明】
【０１００】
【図１】本発明の第１の実施の形態である血圧測定装置の概観図である。
【図２】図１の血圧測定装置のハードウェア構成を模式的に示す図である。
【図３】図１の血圧測定装置の圧力センサが出力するデータに基づいて計測された脈拍の時間変化の一例を示す。
【図４】図１の血圧測定装置において、被験者の血圧値を測定するために実行される処理のフローチャートである。
【図５】図４に示された処理において血圧値の測定および記憶がなされるタイミングを説明するための図である。
【図６】本発明の第２の実施の形態の血圧測定装置において、被験者の血圧値を測定するために実行される処理のフローチャートである。
【図７】図６に示された処理において血圧値の測定および記憶がなされるタイミングを説明するための図である。
【図８】本発明の第３の実施の形態の血圧測定装置において、被験者の血圧値を測定するために実行される処理のフローチャートである。
【図９】図８に示された処理において血圧値の測定および記憶がなされるタイミングを説明するための図である。
【図１０】本発明の第４の実施の形態の血圧測定装置において、被験者の血圧値を測定するために実行される処理のフローチャートである。
【図１１】図１０に示された処理において血圧値の測定および記憶がなされるタイミングを説明するための図である。
【図１２】本発明の第５の実施の形態である血圧測定装置の概観図である。
【図１３】図１２の血圧測定装置のハードウェア構成を模式的に示す図である。
【図１４】図１２の血圧測定装置において測定される被験者の体温の、睡眠時間の経過に伴った変化の一例を示す図である。
【図１５】本発明の第６の実施の形態である血圧測定装置の概観図である。
【図１６】図１５のアイマスクの拡大図である。
【図１７】図１５の血圧測定装置のハードウェア構成を模式的に示す図である。
【図１８】人間の一日における一般的な最高血圧値および最低血圧値の変動を示す図である。
【符号の説明】
【０１０１】
１  血圧測定装置、２  カフ、３  管、４  表示器、５  操作部、６  タイマ、１０  ＣＰＵ、１１  メモリ、１２  Ａ／Ｄ、１３  増幅器、１４  ポンプ駆動回路、１５  弁駆動回路、２０  空気袋、３０  生体情報計測部、３１  圧力センサ、３２  ポンプ、３３  弁。
【図１】
0004659646.tif 000004
【図２】
0004659646.tif 000005
【図３】
0004659646.tif 000006
【図４】
0004659646.tif 000007
【図５】
0004659646.tif 000008
【図６】
0004659646.tif 000009
【図７】
0004659646.tif 000010
【図８】
0004659646.tif 000011
【図９】
0004659646.tif 000012
【図１０】
0004659646.tif 000013
【図１１】
0004659646.tif 000014
【図１２】
0004659646.tif 000015
【図１３】
0004659646.tif 000016
【図１４】
0004659646.tif 000017
【図１５】
0004659646.tif 000018
【図１６】
0004659646.tif 000019
【図１７】
0004659646.tif 000020
【図１８】
0004659646.tif 000021